(57)【要約】【課題】メニュー設定画面の上位階層の表示項目をコンパクトに配列するとともに、下位階層の表示項目と併せて表示画面の右か左の端部分に集約して、見やすくて操作がしやすい形態のオンスクリーンメニューの表示方法を提供する。【解決手段】表示画面１１上にメニュー設定画面を表示して、ユーザ操作により各種の設定を行うのに、上位階層の表示項目２３のアイコン２３ａとその項目名称２３ｂを上下段に並べ、その下に下位階層の表示項目２４を上下方向に並べて、表示画面の左右いずれかの端部分に表示させるようにする。この場合、上位階層の表示項目２３を、アイコンで上段側に全て表示するとともにアイコンの項目名称の少なくとも３つを下段側に表示する。また、選択されているアイコンとその項目名称、並びに選択されている下位階層の項目名の表示形態を変化させて識別性を持たせるようにする。【選択図】図２
2007164561.tif 000002
【特許請求の範囲】
【請求項１】
表示画面上にメニュー設定画面を表示して、ユーザ操作により各種の設定を行うオンスクリーンメニューの表示方法であって、
上位階層の表示項目のアイコンとその項目名称を上下段に並べ、その下に下位階層の表示項目を上下方向に並べて、前記表示画面の左右いずれかの端部分で表示させることを特徴とするオンスクリーンメニューの表示方法。
【請求項２】
前記上位階層の表示項目を、前記アイコンで上段側に全て表示するとともに、前記アイコンの項目名称の少なくとも３つを下段側に表示することを特徴とする請求項１に記載のオンスクリーンメニューの表示方法。
【請求項３】
選択されている前記アイコンとその項目名称、前記下位階層の項目名の表示形態を変化させることを特徴とする請求項１又は２に記載のオンスクリーンメニューの表示方法。
【請求項４】
前記選択されている項目名称、項目名に対する説明ガイドを表示することを特徴とする請求項１〜３のいずれか１項に記載のオンスクリーンメニューの表示方法。
【発明の詳細な説明】
【技術分野】
【０００１】
本発明は、テレビジョン、プロジェクタなどの表示画面上に、メニュー設定画面を表示するオンスクリーンメニューの表示方法に関する。
【背景技術】
【０００２】
テレビジョン、プロジェクタやその他各種の表示装置において、オンスクリーンディスプレイ（ＯＳＤ）機能を搭載し、メニュー選択を表示画面上で行うことが知られている。例えば、特許文献１には、図４（Ａ）に示すように、表示画面１上に「メニュー」という表示の下に、メニューの上位階層の表示項目２（「映像調整」、「音声調整」、「本体設定」、・・・・・・など）を横方向に一列に並べて表示している。
【０００３】
そして、このメニューの表示項目２の中から所定の項目名称（例えば、「本体設定」）がユーザにより選択されると、この項目名称を「メニュー」の表示の横に複写して、選択された項目名称であることが表示される。また、同時に選択された項目名称の欄の下に、下位階層の表示項目３（例えば、「時計設定」、「チャンネル設定」、・・・・・など）を上下方向に並べて表示している。
【０００４】
また、特許文献２には、図４（Ｂ）に示すように、表示画面１の左上に、メニューの上位階層の表示項目２（「Ｐｉｃｔｕｒｅ」、「Ｓｏｕｎｄ」、「Ｔｉｍｅｒ」・・・・・など」を環状に配置して表示している。そして、このメニューの表示項目２の中から所定の項目名称（例えば、「Ｐｉｃｔｕｒｅ」）がユーザにより選択されると、選択された項目名称「Ｐｉｃｔｕｒｅ」の文字サイズが他の項目名より大きくなり、その環状配置の位置が画面中央に最も近くになるように変更される。
【０００５】
次いで、選択された項目名称「Ｐｉｃｔｕｒｅ」を基点として、その下位階層の表示項目３（「Ｂｒｉｇｔｎｅｓｓ」、「Ｃｏｎｔｒａｓｔ」、「Ｃｏｌｏｒ」・・・・・・・など」が上下方向に並べて表示される。この結果、下位階層の表示項目３は、常に表示画面１のほぼ中央部近くに表示されるので、ユーザにおいては、表示項目３の選択操作が分かりやすくなる。また、下位階層の表示項目３の表示位置が一定の位置となることから、表示ソフトウエアを簡単なものとすることができるとされている。
【特許文献１】特開２００５−７１０９６号公報
【特許文献２】特開２００４−２６０６６０号公報
【発明の開示】
【発明が解決しようとする課題】
【０００６】
しかしながら、特許文献１のように、上位階層の表示項目２を表示画面１の横方向に並べると、大型のテレビジョンやプロジェクタのように表示画面１が比較的大きい場合は、表示項目２が横方向に広がって見にくくなる。また、下位階層の表示項目３が上位階層の表示項目２の選択変更で左右に移動するため、ユーザには見づらくなる。さらに、上位階層の表示項目の２選択変更で下位階層の表示項目３の表示位置を変えるには、その表示ソフトウエアが複雑なものとなる。なお、表示項目２の横方向の広がりに対して、アイコンのみを並べて表示する従来技術も知られているが、アイコンのみでは、その意味内容が分かりにくいという問題がある。
【０００７】
特許文献２の技術を用いることにより、上述した問題点を解消することは可能であるが、下位階層の表示項目３の表示が表示画面１の中央部となる。例えば、投影される表示画像の「Ｃｏｌｏｒ」調整を行う場合、表示画面１の中央部は、大抵はドラマの主題となる人物であったり、重要な表示画像であったりするが、下位階層の表示項目３で隠されてしまい、設定・調整が上手くいかないというようなことがある。また、上位階層の項目名の表示位置が、選択変更するたびに変わるので、操作がしづらいという問題がある。
【０００８】
本発明は、上述した実情に鑑みてなされたもので、メニュー設定画面の上位階層の表示項目をコンパクトに配列するとともに、下位階層の表示項目と併せて表示画面の右か左の端部分に集約して、見やすくて操作がしやすい形態のオンスクリーンメニューの表示方法の提供を目的とする。
【課題を解決するための手段】
【０００９】
本発明によるオンスクリーンメニューの表示方法は、表示画面上にメニュー設定画面を表示して、ユーザ操作により各種の設定を行うのに、上位階層の表示項目のアイコンとその項目名称を上下段に並べ、その下に下位階層の表示項目を上下方向に並べて、表示画面の左右いずれかの端部分に表示させるようにするものである。
この場合、上位階層の表示項目を、アイコンで上段側に全て表示するとともにアイコンの項目名称の少なくとも３つを下段側に表示する。また、選択されているアイコンとその項目名称、並びに選択されている下位階層の項目名の表示形態を変化させて識別性を持たせるようにする。さらに、選択されている項目名称、項目名に対する説明ガイドを表示するようにしてもよい。
【発明の効果】
【００１０】
本発明によれば、オンスクリーンの表示項目を、表示画面の右か左の端部分に集約して表示することができ、メニュー選択に対する操作性を分かりやすくすることができる。また、画面中央の主たる表示を隠すことなく表示項目を表示することができるので、表示画面の主要部を見ながら設定・調整等を適正に行うことができる。
【発明を実施するための最良の形態】
【００１１】
図により本発明の実施の形態を説明する。図１は本発明で使用される映像機器のシステムブロックの一例を説明する図である。図中、１０は入力手段、１１はＡＶセレクタ、１２はマイコン、１３は映像デコーダ、１３ａはＯＳＤ表示部、１４は表示装置、１５は音声デコーダ、１６はスピーカ、１７はリモコンを示す。
【００１２】
図１に示すように、テレビジョン受像機、ＤＶＤプレーヤ等の映像機器は、チューナや種々の再生装置による入力手段１０によって、映像及び音声がＡＶセレクタ１１に入力される。ＡＶセレクタ１１に入力されたＡＶ信号は、制御信号をマイコン１２に、映像信号を映像デコーダ１３に、音声信号を音声デコーダ１５にそれぞれ入力される。映像デコーダ１３には、オンスクリーンディスプレイ（On Screen Display：ＯＳＤ）表示部１３ａを備え、表示画面上で設定項目の選定や調整が行えるようになっている。これらの操作は、装置本体に設けられた操作キー、或いはリモコン１７の操作キー（移動キー、決定キー等）により行われる。
【００１３】
音声デコーダ１５に入力された音声信号はスピーカ１６で再生され、マイコン１２に入力された制御信号は映像デコーダ１３、音声デコーダ１５を制御し、また、表示装置１４の制御を行う。なお、映像デコーダ１３にＯＳＤ表示部１３ａを備える例を示しているが、マイコン１２内に設けるようにしても良い。表示装置１４には、ＣＲＴ（陰極線管）やＬＣＤ（液晶ディスプレイ）などが用いられ、映像デコーダ１３やＯＳＤ表示部１３ａからの映像信号が入力され、表示画面上に表示される。
【００１４】
図２及び図３は、本発明によるオンスクリーンメニューの表示方法の実施形態を説明する図である。図中、２０は表示画面、２１は映像表示部、２２はメニュー表示部、２３は第１階層の表示項目、２３ａはアイコン、２３ｂは項目名称、２３ｃは説明ガイド、２４は第２階層の表示項目、２５は操作ガイダンスを示す。
【００１５】
本発明によるオンスクリーンメニューの表示方法は、大型テレビジョンやプロジェクタを用いた表示装置で、比較的大型の表示画面に対して特に有用である。大型の表示画面２０による表示で、ＯＳＤ表示で設定・調整を行う場合、通常、縦方向に並ぶ表示項目は比較的に見やすくあまり苦にならないが、横方向に並ぶ表示項目は、横方向への広がりが大きいことから見づらくなっている。なお、表示項目の選択、設定・調整は、図１で説明したように、リモコン又は装置本体側に設けた移動キー及び決定キー等を操作することにより行われる。
【００１６】
本発明では、従来の図４（Ａ）のように、横方向に帯状に並べていたオンスクリーンメニューの上位階層の第１階層の表示項目２３を、図２に示すように、表示画面２０の映像表示部２１の左側又は右側のいずれかの端部分にメニュー表示部２２として表示する。このため、第１階層の表示項目２３を横方向の配列と上下方向の多段配列とを組み合わせることにより、コンパクトに表示するようにしている。また、下位階層の第２階層の表示項目２４は、第１階層の表示項目２３の下段に配列するようにし、複数の項目名を上下方向に並べ上位階層と下位階層の関係を損なうことなく表示させることができるようにしている。なお、操作ガイダンス２５も、必要に応じてその下に併せて表示する。
【００１７】
具体的には、オンスクリーンメニューの上位階層の第１階層の表示項目２３には、アイコン２３ａと各アイコンの内容を表示する項目名称２３ｂを用い、さらに、必要に応じて簡単な説明ガイド２３ｃを用いることができる。アイコン２３ａによる表示は、場所も取らないので多くの項目を、横方向に一列に並べて表示することができる。本発明においては、表示画面２０のメニュー表示部２２の上端側に、第１階層の表示項目２３を示す全てのアイコン２３ａを横１列に並べて表示する。なお、アイコン２３ａの数が多い場合は、横２列に配列するようにしてもよい。
【００１８】
しかし、アイコン２３ａのみの表示では、通常のユーザには項目内容が分かりにくい。このため、本発明では、アイコン２３ａを表示した下段に少なくとも３つのアイコンの内容を示す項目名称を文字表示できるようにしている。実際に表示される項目名称は、選択されたアイコンに対するものだけでも良いが、これに隣接する両側のアイコンの項目名称も表示するようにするのが望ましい。項目名称２３ｂの文字数が少なければ、より多くの項目名称を表示することも可能であるが、少なくとも、現在、選択されている項目名称と、その両側の項目名称の３つの項目名称を表示できればよい。
【００１９】
表示画面２０にリモコン等でメニュー設定画面を表示させた後、移動キーでアイコン２３ａを選択すると、選択されたアイコンとその項目名称２３ｂがフォーカスされる。このフォーカス表示には、選択した項目が他の項目から識別できるように、点滅表示、高輝度表示、枠囲み表示、背景色を異ならせるなどして、他の選択されていない項目に対して目立つような表示形態に変化させるのが望ましい。
【００２０】
なお、現在選択されているアイコンの項目名称２３ｂの両側に表示される項目名称は、選択されている項目名称に対して目立たないように表示されるが、例えば、次に選択される候補項目名であったり、前に選択した項目名であったりする。このように、選択されている項目名称を表示する以外に、一部の項目名称も表示するようにすることにより、ユーザに対して、他にも表示する項目が多数あることを知らせることができる。また、項目名称２３ｂは、その両側に移動キーを用いて左右方向に移動させ、他の項目名称（例えば、右隣の「本体設定」）を文字読取で選択できるようにしてもよい。
【００２１】
また、第１階層の表示項目２３の項目名称２３ｂの下段には、選択された項目名称をさらに詳しく説明する説明ガイド２３ｃが表示されるようにしてもよい。項目名称２３ｂは、比較的短い用語（例えば、２〜４文字）であるので、項目内容を十分に表すことができない場合がある。このような場合、上記の説明ガイド２３ｃのような補足的な説明があれば、ユーザには分かりやすくなる。しかし、長文はスペースの関係もあるので、簡潔な表現で表示されるようにするのが望ましい。
【００２２】
第１階層の表示項目２３の選択された項目名称２３ｂ（例えば、「映像調整」）に対する下位階層の表示項目である第２階層の表示項目２４は、第１階層の表示項目２３の下に、従来と同様に上下方向に並べて表示する。この第２階層の表示項目２４は、上下方向に配列するのでほぼ全項目名を表示することができる。なお、図の例では、「映像調整」を選択しているので、これに関する「明るさセンサー」、「明るさ」、・・・「画質」等が表示され、また、これら関連する項目「プロ設定」・・・「ＱＳ駆動」等も、第２階層の表示項目２４に含めて表示する例で示している。
【００２３】
第２階層の表示項目２４の各項目名の選択も第１階層の表示項目２３の選択と同様に、移動キー及び決定キーにより選択され、選択された項目名がフォーカスされる。このフォーカス表示には、選択された項目が他の項目から識別できるように、点滅表示、高輝度表示、枠囲み表示、背景色を異ならせるなどして、他の項目に対して目立つように表示形態を変化させるのが望ましい。なお、項目名の数が多くなる場合は、スクロール表示、或いは、さらに下位の階層に分けて表示するようにしてもよい。また、第２階層の表示項目２４の下方にスペースがある場合は、操作ガイダンス２５を表示するようにして、設定、調整の方法をガイドするようにしてもよい。
【００２４】
また、図３に示すように、第２階層の表示項目２４の項目名（例えば、「明るさセンサー」）を選択した際に、その内容「例えば、画面の明るさを部屋の明るさに応じて自動で調整します」と言うような説明をホップアップ表示するようにしてもよい。操作ガイダンス２５を参照しながら、各項目名を上下移動キーで選択してフォーカス表示し、表示画面２０の映像表示部２１の状態を見ながら、左右移動キーで、「入」「切」の設定や数値の調整等を行う。
【００２５】
以上のようなオンスクリーンメニューの表示方法で、第１階層の表示項目２３の選択を切り替える場合、例えば、リモコンの左右移動キーで現在選択されている（映像調整）のアイコンのフォーカス表示を、（本体設定）のアイコンに移す。これにより、アイコン２３ａの下段に配列されている項目名称２３ｂの中央の「映像調整」が、左側の「音声調整」の表示位置に移動するとともに、文字表示が小さくなり、輝度等の表示状態も低下する。そして、右側の「本体設定」の項目が中央の「映像調整」の表示位置に移動するとともに、文字表示が大きくなり、輝度等の表示形態が目立つように変更される。右側の「本体設定」の表示位置には、次の項目が新たに表示される。新たに選択された項目名称「本体設定」の下段には、その説明ガイド２３ｃが表示され、説明ガイドの下には「本体設定」に関する下位階層の項目名が表示され、上下移動キーで調整項目を選択する。
【００２６】
上述したように、オンスクリーンメニューの上位階層の第１階層の表示項目２３を表示することにより、表示画面２０の右か左の端部分に、下位階層の第２階層の表示項目２４を含めた集約した形態で表示することができる。このため、ユーザにおいては、そのメニュー選択に対する操作が分かりやすくなる。さらに、表示画面内の映像表示部２１の画面中央を見ながら下位階層のそれぞれの項目名に対する設定・調整を行うことができるので、適正な設定・調整が得られる。
【図面の簡単な説明】
【００２７】
【図１】本発明で使用される映像機器等のシステムブロックの一例を説明する図である。
【図２】本発明の実施形態の一例を説明する図である。
【図３】本発明の実施形態の他の例を説明する図である。
【図４】従来技術を説明する図である。
【符号の説明】
【００２８】
１０…入力手段、１１…ＡＶセレクタ、１２…マイコン、１３…映像デコーダ、１３ａ…ＯＳＤ表示部、１４…表示装置、１５…音声デコーダ、１６…スピーカ、１７…リモコン、２０…表示画面、２１…映像表示部、２２…メニュー表示部、２３…第１階層の表示項目、２３ａ…アイコン、２３ｂ…項目名称、２３ｃ…説明ガイド、２４…第２階層の表示項目、２５…操作ガイダンス。
【図１】
2007164561.tif 000003
【図２】
2007164561.tif 000004
【図３】
2007164561.tif 000005
【図４】
2007164561.tif 000006